(57)【要約】【課題】ユーザにとって見易い状態に、複数の画像を一覧表示することを目的とする。【解決手段】複数の画像を一覧表示画面に配置する配置手段と、複数の画像それぞれに対応付けられている閲覧履歴情報に基づいて、一覧表示画面における、画像の背景領域のサイズ、形状及び色のうち少なくとも１つを含む表示態様又は画像の表示態様を変更する変更手段と、変更手段による変更後の一覧表示画面を表示する表示手段とを有する。【選択図】図２
2015219871.tif 000002
【特許請求の範囲】
【請求項１】
複数の画像を一覧表示画面に配置する配置手段と、
前記複数の画像それぞれに対応付けられている閲覧履歴情報に基づいて、前記一覧表示画面における、前記画像の背景領域のサイズ、形状及び色のうち少なくとも１つを含む表示態様又は前記画像の前記表示態様を変更する変更手段と、
前記変更手段による変更後の前記一覧表示画面を表示する表示手段と
を有することを特徴とする情報処理装置。
【請求項２】
前記閲覧履歴情報は、前記画像のアクセス数、閲覧時間及び前記画像に対するユーザによる操作時間のうち少なくとも１つを含むことを特徴とする請求項１に記載の情報処理装置。
【請求項３】
前記一覧表示画面において、前記複数の画像のうち一の画像の選択を受け付ける受付手段をさらに有し、
前記変更手段は、選択された選択画像の背景領域の前記表示態様又は前記選択画像の前記表示態様を変更することを特徴とする請求項１又は２に記載の情報処理装置。
【請求項４】
前記選択画像に対応付けられている、他の画像との関連を示す関連情報を参照し、前記選択画像に関連する関連画像を抽出する抽出手段をさらに有し、
前記変更手段は、前記関連画像の前記表示態様を変更することを特徴とする請求項３に記載の情報処理装置。
【請求項５】
前記関連情報は、撮影日時、撮影部位、撮影対象者、撮影方向、位置情報及び撮影に使用された機器、クリニカルパスのうち少なくとも１つを含むことを特徴とする請求項４に記載の情報処理装置。
【請求項６】
前記関連情報は、メタデータとして前記画像に対応付けられていることを特徴とする請求項４又は５に記載の情報処理装置。
【請求項７】
情報処理装置を、
複数の画像を一覧表示画面に配置する配置ステップと、
前記複数の画像それぞれに対応付けられている閲覧履歴情報に基づいて、前記一覧表示画面における、前記画像の背景領域のサイズ、形状及び色のうち少なくとも１つを含む表示態様又は前記画像の前記表示態様を変更する変更ステップと、
前記変更ステップにおける変更後の前記一覧表示画面を表示する表示ステップと
を含むことを特徴とする情報処理方法。
【請求項８】
コンピュータを、
複数の画像を一覧表示画面に配置する配置手段と、
前記複数の画像それぞれに対応付けられている閲覧履歴情報に基づいて、前記一覧表示画面における、前記画像の背景領域のサイズ、形状及び色のうち少なくとも１つを含む表示態様又は前記画像の前記表示態様を変更する変更手段と、
前記変更手段による変更後の前記一覧表示画面を表示する表示手段と
として機能させるためのプログラム。
【発明の詳細な説明】
【技術分野】
【０００１】
本発明は、情報処理装置、情報処理方法及びプログラムに関する。
【背景技術】
【０００２】
画像の高解像度化に伴い、高解像度の元画像と、元画像から生成された低解像度のサムネイル画像をセットにして管理する装置が知られている。このような装置は、サムネイル画像を一覧表示する。そして、ユーザは、画像を詳細に確認したい場合は、サムネイル画像に対応する元画像を表示させることができる。これにより、ユーザは、希望の画像を詳細に確認することができる。
このように、画像の一覧性が向上し、またユーザは、必要に応じて詳細な情報を確認できることから、アクセス効率が向上した。更に、作業内容によっては元画像を使わずサムネイル画像を使って作業ができる場合もあるため、利便性も高まった。
【０００３】
その反面、一覧画面に表示される情報や、一覧表示において可能なユーザ操作が増加すると、管理や操作が煩雑になり、多数の画像の中から所望の画像の状況や内容を把握するのに手間がかかってしまうという問題がある。これに対し、特許文献１には、画像やドキュメントをサムネイル画像で項目毎に時系列に並べて表示する技術が開示されている。これにより、ユーザは、サムネイル画像の元データが未読かどうかを容易に確認することができ、元画像の再確認の手間を省くことができる。
【先行技術文献】
【特許文献】
【０００４】
【特許文献１】特開２００８−１９２０４４号公報
【発明の概要】
【発明が解決しようとする課題】
【０００５】
しかしながら、従来技術においては、一覧表示される画像の数が多い場合には、ユーザにとって見難く、所望の画像を見つけるのに手間がかかるという問題があった。特許文献１の技術においては、未読か否かは判別することができるものの、すべて未読、すべて既読の状態においては、いずれのサムネイルも等しく表示されることとなってしまう。
【０００６】
本発明はこのような問題点に鑑みなされたもので、ユーザにとって見易い状態に、複数の画像を一覧表示することを目的とする。
【課題を解決するための手段】
【０００７】
そこで、本発明は、情報処理装置であって、複数の画像を一覧表示画面に配置する配置手段と、前記複数の画像それぞれに対応付けられている閲覧履歴情報に基づいて、前記一覧表示画面における、前記画像の背景領域のサイズ、形状及び色のうち少なくとも１つを含む表示態様又は前記画像の前記表示態様を変更する変更手段と、前記変更手段による変更後の前記一覧表示画面を表示する表示手段とを有することを特徴とする。
【発明の効果】
【０００８】
本発明によれば、ユーザにとって見易い状態に、複数の画像を一覧表示することができる。
【図面の簡単な説明】
【０００９】
【図１】情報処理装置を示す図である。
【図２】表示処理を示すフローチャートである。
【図３】一覧表示画面例を示す図である。
【図４】第１の変更例の説明図である。
【図５】第２の実施形態に係る表示処理を示すフローチャートである。
【図６】第２の実施形態に係る表示処理の説明図である。
【図７】第２の実施形態の第１の変更例の説明図である。
【図８】第３の実施形態に係る一覧表示画面例を示す図である。
【発明を実施するための形態】
【００１０】
以下、本発明の実施形態について図面に基づいて説明する。
【００１１】
（第１の実施形態）
図１は、第１の実施形態に係る情報処理装置を示す図である。情報処理装置１００は、ユーザの過去の操作に応じて、複数の画像を一覧表示する一覧表示画面を編集する。情報処理装置１００は、ＣＰＵ１０１、メモリ１０２、記憶装置１０３、入力装置１０４、表示装置１０５及び通信Ｉ/Ｆ部１０６を備え、各々はバス１０７により相互に接続されている。
ＣＰＵ１０１は、記憶装置１０３に記憶されているプログラム１０８を実行することにより、後述する各種機能を実行する。メモリ１０２は、ＣＰＵ１０１が記憶装置１０３から読み出したプログラムやデータを一時的に記憶する。また、メモリ１０２は、ＣＰＵ１０１が各種のプログラムを実行するための領域としても利用される。
【００１２】
記憶装置１０３は、例えばＳＳＤやＨＤＤのような大容量記憶装置により構成される。記憶装置１０３は、オペレーティングシステム（ＯＳ）や各種プログラムや制御プログラム、データ等を記憶する。なお、制御用のプログラム１０８は記憶装置１０３の一部データとして格納されている。
プログラムとしては、画像の閲覧に係るプログラ等が挙げられる。データとしては、画像や文書、画像や文書から作成されたサムネイル画像（縮小画像）、サムネイル画像の閲覧履歴情報等が挙げられる。ここで、閲覧履歴情報は、サムネイル画像へのアクセス日時、サムネイル画像へのアクセス数、サムネイル画像の表示時間、サムネイル画像又はサムネイル画像に対応する元画像に対するユーザによる操作時間等のうち少なくとも１つを含む。また、閲覧履歴情報は、サムネイル画像に関連する画像に対するアクセス日時等を含んでもよい。このように、閲覧履歴情報は、サムネイル画像、サムネイル画像に対応する元画像及びサムネイル画像に関連する画像に対して過去に行われたユーザ操作に関連する情報である。
後述する情報処理装置１００の機能や処理は、ＣＰＵ１０１が記憶装置１０３に格納されているプログラムを読み出し、このプログラムを実行することにより実現されるものである。
【００１３】
入力装置１０４は、主にユーザからの入力を受け付ける機能部である。入力装置１０４は、具体的には、画像の閲覧指示や、画像に対するユーザ操作等を受け付ける。表示装置１０５は、各種情報を表示する。表示装置１０５は例えば、入力装置１０４で入力された情報や、ＣＰＵ１０１により実行されたプログラムの実行結果を表示する。通信Ｉ／Ｆ部１０６は、外部装置との通信処理を行う。
【００１４】
図２は、情報処理装置１００による、表示処理を示すフローチャートである。Ｓ２００において、情報処理装置１００のＣＰＵ１０１は、閲覧指示を受け付けるまで待機する。ここで、閲覧指示は、情報処理装置１００に記憶されている画像や文書を示す複数のサムネイル画像が配置された一覧表示画面の表示を指示する情報である。本実施形態に係る情報処理装置１００は、医療画像や医療ドキュメントを記憶しているものとする。
ＣＰＵ１０１は、閲覧指示を受け付けた場合には（Ｓ２００でＹｅｓ）、処理をＳ２０１へ進める。Ｓ２０１において、ＣＰＵ１０１は、情報処理装置１００の記憶装置１０３に記録されているサムネイル画像を一覧表示画面に配置する（配置処理）。図３（ａ）は、Ｓ２０１においてサムネイル画像が配置された一覧表示画面３０１の一例を示す図である。このように、同一形状、同一サイズの複数のサムネイル画像（「１」〜「１２」のサムネイル画像）が等しい間隔で配置されている。
【００１５】
図２に戻り、Ｓ２０１の処理の後、Ｓ２０２において、ＣＰＵ１０１は、変更条件に従い、一覧表示画面３００に配置されている複数のサムネイル画像それぞれに対応付けられている閲覧履歴情報に基づいて、各サムネイル画像の表示態様を変更する。ここで、表示態様とは、サムネイル画像のサイズ、形状及び色のうち少なくとも１つを含む。本実施形態においては、ＣＰＵ１０１は、表示態様として、サムネイル画像のサイズを変更する。また、変更条件は、閲覧履歴情報と表示態様の変更との関係を示す情報である。変更条件は、例えば記憶装置１０３に予め設定されているものとする。本実施形態においては、閲覧時間が長い程、サムネイル画像のサイズをより大きいサイズに変更するという変更条件が設定されているものとする。これは、閲覧時間（表示時間）が長い程、重要な画像であると予想されることに対応するものである。この場合、ＣＰＵ１０１は、変更条件を参照し、複数のサムネイル画像それぞれに対応付けられている閲覧履歴情報のうち、表示時間を確認する。そして、表示時間に基づいて、各サムネイル画像のサイズを変更する。
なお、他の例としては、ＣＰＵ１０１は、入力装置１０４又は通信Ｉ／Ｆ部１０６を介して変更条件を受け付けてもよい。この場合、ＣＰＵ１０１は、取得した変更条件を参照して、サムネイル画像のサイズを変更する。
【００１６】
次に、Ｓ２０３において、ＣＰＵ１０１は、サイズ変更後の一覧表示画面を表示装置１０５に表示する。図３（ｂ）は、Ｓ２０３において表示される一覧表示画面３０２の一例を示す図である。例えば、「３」、「４」、「５」のサムネイル画像の表示時間が最も長く、「６」、「８」、「１１」のサムネイル画像の表示時間が２番目に長いとする。さらに、「１」、「２」、「７」のサムネイル画像の表示時間が３番目に長く、「９」、「１０」、「１１」のサムネイル画像の表示時間が最も短いとする。
この場合、図３（ｂ）に示すように、「３」、「４」、「５」のサムネイル画像が最も大きく、「６」、「８」、「１１」のサムネイル画像が２番目に大きくなる。さらに、「１」、「２」、「７」のサムネイル画像が３番目に大きく、「９」、「１０」、「１１」のサムネイル画像が最も小さくなる。
【００１７】
次に、Ｓ２０４において、ＣＰＵ１０１は、サムネイル画像の選択指示を受け付けるまで待機する。ユーザが、例えばマウスオーバやクリック等によりサムネイル画像の選択操作を行うと、ＣＰＵ１０１は、選択指示を受け付ける（受付処理）。ＣＰＵ１０１は、選択指示を受け付けた場合には（Ｓ２０４でＹｅｓ）、処理をＳ２０５へ進める。
【００１８】
Ｓ２０５において、ＣＰＵ１０１は、抽出条件に従い、選択指示に係るサムネイル画像（以下、選択サムネイル画像と称する）に対応付けられている関連情報に基づいて、選択サムネイル画像に関連する関連サムネイル画像を抽出する（抽出処理）。ここで、関連情報は、例えばＥｘｉｆやＤＩＣＯＭ等の画像メタデータとしてサムネイル画像に対応付けて記憶装置１０３に記憶されている。関連情報は、例えば、撮影日時、撮影部位、撮影対象者、撮影方向、位置情報及び撮影に使用された機器等である。抽出条件は、抽出すべきサムネイル画像の関連情報を指定する情報である。また、選択サムネイル画像及び関連サムネイル画像は、それぞれ選択画像及び関連画像の一例である。
なお、他の例としては、関連情報は、サムネイル画像に対応付けて、記憶装置１０３に記憶されていてもよい。
ＣＰＵ１０１は、例えば、同日のサムネイル画像という抽出条件が設定されている場合には、選択サムネイル画像と同日の撮影日時のサムネイル画像を関連サムネイル画像として抽出する。
【００１９】
次に、Ｓ２０６において、ＣＰＵ１０１は、選択サムネイル画像及び関連サムネイル画像の表示態様を変更する（変更処理）。ＣＰＵ１０１は、具体的には、関連サムネイル画像及び関連サムネイル画像のサイズを他のサムネイル画像に比べて大きいサイズに変更する。
図３（ｃ）は、Ｓ２０６において表示される一覧表示画面３０３の一例を示す図である。図３（ｃ）に示す例においては「８」のサムネイル画像が選択された場合を示している。「８」の選択サムネイル画像の関連サムネイル画像として「４」〜「７」のサムネイル画像が抽出されたとする。この場合、図３（ｃ）に示すように「４」〜「８」のサムネイル画像が、「１」〜「３」、「９」〜「１２」のサムネイル画像（選択サムネイル画像及び関連サムネイル画像以外のサムネイル画像）に比べて大きいサイズに変更される。
【００２０】
以上のように、第１の実施形態に係る情報処理装置１００は、閲覧履歴情報に応じて、サムネイル画像の表示態様を変更する。したがって、ユーザは、一覧表示画面から、必要な情報等を容易に探し出すことができる。さらに、情報処理装置１００は、選択サムネイル画像及び関連サムネイル画像の表示態様を変更する。したがって、ユーザは、自身が選択したサムネイル画像と他のサムネイル画像との関連性を容易に把握することができる。
【００２１】
第１の実施形態に係る情報処理装置１００の第１の変更例について説明する。サムネイル画像の元の情報が文書である場合において、文書内に画像Ｘというキーワードが含まれている、又は文書のメタデータに画像Ｘの識別情報が含まれているとする。この場合に、情報処理装置１００は、文書のサムネイル画像に対して画像Ｘのサムネイル画像を関連サムネイル画像として抽出してもよい。
図４は、文書「Ｃ」のメタデータに「Ａ３」のサムネイル画像に対応する元画像の識別情報が含まれる例を説明するための図である。図４に示す例においては、一覧表示画面には、サムネイル画像が撮影日時及び画像種類の２種類に対応して２次元で配置されている。図４（ａ）に示す一覧表示画面において、図４（ｂ）に示すように、文書「Ｃ」に対応する「Ｃ３」のサムネイル画像が選択されたとする。この場合、ＣＰＵ１０１は、「Ａ３」のサムネイル画像を関連サムネイル画像として抽出し、「Ｃ３」及び「Ａ３」のサムネイル画像のサイズを他のサムネイル画像のサイズに比べて大きいサイズに変更する。
【００２２】
また、第２の変更例としては、ＣＰＵ１０１は、Ｓ２０２において、サムネイル画像の表示態様を変更すればよく、そのための具体的な処理は、実施形態に限定されるものではない。変更対象の表示態様としては、例えば、サムネイル画像のサイズの他に、形状、色が挙げられる。さらに、変更対象の表示態様は、サムネイル画像のサイズ、形状及び色の種類のうち２以上の種類の組み合わせであってもよい。なお、変更対象の表示態様は予め定められているものとする。
ＣＰＵ１０１は、また、Ｓ２０６においても、関連サムネイル画像の表示態様を変更すればよく、そのための具体的な処理は、実施形態に限定されるものではない。
さらに、ＣＰＵ１０１は、Ｓ２０２及びＳ２０６において変更対象とする表示態様の種類を異なるものとしてもよい。これにより、ユーザは、サムネイル画像の閲覧履歴に関する情報を把握することができ、さらに、自身が選択したサムネイル画像に関連するサムネイル画像についても把握することができる。
【００２３】
また、第３の変更例としては、ＣＰＵ１０１は、アクセス数が閾値以上のサムネイル画像のサイズを閲覧時間が閾値未満のサムネイル画像のサイズに比べて大きくなるように変更してもよい。さらに、ＣＰＵ１０１は、サムネイル画像のサイズを閾値処理により２段階のサイズに変更してもよく、また他の例としては、複数の閾値を参照することにより、多段階のサイズに変更してもよい。
【００２４】
（第２の実施形態）
第２の実施形態に係る情報処理装置１００は、サムネイル画像の表示態様だけでなく、サムネイル画像の背景領域の表示態様を変更する。図５は、第２の実施形態に係る情報処理装置１００による、表示処理を示すフローチャートである。ここでは、第２の実施形態に係る表示処理と異なる処理について説明する。なお、図５に示す表示処理において、図２を参照しつつ説明した、第１の実施形態に係る情報処理装置１００による表示処理の各処理と同様の処理には同一番号を付している。
ＣＰＵ１０１は、Ｓ２０６において、関連サムネイル画像を抽出した後、処理をＳ５０１へ進める。Ｓ５０１において、ＣＰＵ１０１は、選択サムネイル画像及び関連サムネイル画像の背景領域の表示態様を変更する（変更処理）。
【００２５】
図６は、第２の実施形態に係る表示処理を説明するための図である。図６に示す表示一覧は、図４（ａ）に示す表示一覧に対応する。図６（ａ）は、Ｓ２０２において、サムネイル画像の表示態様（サイズ）が変更された後の表示一覧を示す図である。
ＣＰＵ１０１は、その後、Ｓ２０５において、「Ａ３」のサムネイル画像が選択されると、「Ａ１」、「Ａ２」、「Ａ４」、「Ｂ１」、「Ｃ３」のサムネイル画像を関連サムネイル画像として抽出する。なお、ここでは、選択サムネイル画像と、画像の種類又は撮影日時が等しいという、図４に示す、サムネイル画像の２次元配列の条件となる２種類の関連情報に係る抽出条件が設定されているものとする。
【００２６】
そして、ＣＰＵ１０１は、Ｓ２０６において、これらの画像（選択サムネイル画像及び関連サムネイル画像、すなわち「Ａ１」〜「Ａ４」、「Ｂ１」、「Ｃ３」のサムネイル画像）のサイズを他の画像に比べて大きいサイズに変更する。
ＣＰＵ１０１はさらに、Ｓ５０１において、これらのサムネイル画像の背景領域の表示態様を変更する。図６（ｂ）は、Ｓ５０１の処理後の表示一覧表示画面を示す図である。ここで、６００は、背景領域である。図６（ｂ）に示す例においては、ＣＰＵ１０１は、２次元に配置されたサムネイル画像のうち、選択サムネイル画像の抽出条件に合致する行及び列の背景領域の色を変更する。これにより、選択サムネイル画像及び関連サムネイル画像それぞれの背景領域を含む領域の色が変更される。
なお、第２の実施形態に係る情報処理装置１００のこれ以外の構成及び処理は、第１の実施形態に係る情報処理装置１００の構成及び処理と同様である。
【００２７】
以上のように、第２の実施形態に係る情報処理装置１００は、選択サムネイル画像及び関連サムネイル画像の表示態様だけでなく、これらの画像の背景領域の表示態様を他の領域と異ならせることができる。したがって、ユーザは、一覧表示画面から、必要な情報等を容易に把握することができる。
【００２８】
第２の実施形態に係る情報処理装置１００の第１の変更例としては、ＣＰＵ１０１は、Ｓ５０１において、選択サムネイル画像及び関連サムネイル画像の背景領域の表示態様を変更すればよく、そのための具体的な処理は、実施形態に限定されるものではない。
例えば、図７に示すように、ＣＰＵ１０１は、関連サムネイル画像の抽出条件に合致する行の高さを他の行列の高さに比べて大きくなるように変更してもよい。図７に示す例においては、画像Ａの行の高さＬ１は、他の種類の画像の行の高さＬ２に比べて大きい。ＣＰＵ１０１はさらに、関連サムネイル画像の抽出条件に合致する列の幅を他の列の幅に比べて大きくなるように変更してもよい。
【００２９】
また他の例としては、ＣＰＵ１０１は、行又は列単位で、背景領域の表示態様を変更するのに替えて、選択サムネイル画像及び関連サムネイル画像の背景領域のみの表示態様を変更してもよい。例えば、ＣＰＵ１０１は、複数のサムネイル画像が１次元に配列された一覧表示画面において、選択サムネイル画像及び関連サムネイル画像の背景領域のみのサイズを他の画像のサイズに比べて大きいサイズに変更してもよい。
ここで、各サムネイル画像の背景領域は、サムネイル画像の位置を基準として予め設定されているものとする。本実施形態においては、「Ａ３」の選択サムネイル画像の背景領域は、６０１、関連サムネイル画像の背景領域は、６０２である。各背景領域６０１、６０２の高さは、行の高さと等しいものとする。
このように、サムネイル画像やその背景領域のサイズを含む表示態様を変更することにより、ユーザが見たい情報を容易に見つけることができる。
【００３０】
また、第２の変更例としては、ＣＰＵ１０１は、Ｓ２０２において、サムネイル画像の表示態様に替えて、サムネイル画像の背景領域の表示態様を変更してもよい。ここで、背景領域の表示態様は、背景領域のサイズ、形状及び色のうち少なくとも１つを含む。
また、第３の変更例としては、ＣＰＵ１０１は、選択サムネイル画像及び関連サムネイル画像の表示態様を変更する処理（Ｓ２０６）を行わなくともよい。
【００３１】
（第３の実施形態）
第３の実施形態に係る情報処理装置１００は、関連情報として、クリニカルパスや旅行日程表等の計画情報に基づいて、関連サムネイル画像を抽出する。例えば、図８に示す一覧表示画面において、「Ｂ１」のサムネイル画像が選択されたとする。この場合、情報処理装置１００のＣＰＵ１０１は、Ｓ２０５において、関連情報として記憶されているクリニカルパスを参照し、同一のクリニカルパスに対応する関連情報に係る抽出条件に基づいて、同一のクリニカルパスに属するサムネイル画像を抽出する。
図８に示す例においては、「１２／２２」以降のサムネイル画像がクリニカルパスに属し、ＣＰＵ１０１は、これらのサムネイル画像を関連サムネイル画像として抽出する。そして、ＣＰＵ１０１は、これらのサムネイル画像の背景領域８００の色を変更する。なお、ＣＰＵ１０１は、これらのサムネイル画像の背景領域の表示態様だけでなく、これらのサムネイル画像の表示態様も変更してもよい。
【００３２】
このように、計画情報に基づいて、同一計画に属するサムネイル画像を強調表示することにより、計画に係る一連の情報を総合的に把握することができる。
なお、第３の実施形態に係る情報処理装置１００のこれ以外の構成及び処理は、他の実施形態に係る情報処理装置１００の構成及び処理と同様である。
【００３３】
さらに、第３の実施形態の変更例としては、計画情報に強調表示の対象となるキーワード等の情報が含まれているとする。この場合には、情報処理装置１００は、この情報に基づいて、キーワード等を含むサムネイル画像又はその背景領域の表示態様を他のサムネイル画像又はその背景領域の表示態様と異ならせてもよい。
【００３４】
＜その他の実施形態＞
以上、実施形態例を詳述したが、本発明は例えば、システム、装置、方法、プログラム若しくは記録媒体(記憶媒体)等としての実施態様をとることが可能である。具体的には、複数の機器（例えば、ホストコンピュータ、インタフェース機器、撮像装置、Ｗｅｂアプリケーション等）から構成されるシステムに適用しても良いし、また、一つの機器からなる装置に適用しても良い。
【００３５】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【００３６】
以上、上述した各実施形態によれば、ユーザにとって見易い状態に、複数の画像を一覧表示することができる。
【００３７】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００３８】
１００  情報処理装置、１０１  ＣＰＵ、１０２  メモリ、１０３  記憶装置、１０４  入力装置、１０５  表示装置、１０６  通信Ｉ／Ｆ部
【図１】
2015219871.tif 000003
【図２】
2015219871.tif 000004
【図３】
2015219871.tif 000005
【図４】
2015219871.tif 000006
【図５】
2015219871.tif 000007
【図６】
2015219871.tif 000008
【図７】
2015219871.tif 000009
【図８】
2015219871.tif 000010